(57)【要約】【課題】空気処理装置が室内環境に与える影響の大きさを在室者に知らせることができるようにする。【解決手段】空気処理装置（10,110,210,310,410,510,610,630）は、処理した空気を室内へ吹き出す。空気処理装置（10,110,210,310,410,510,610,630）は、在室者に見える光を発する少なくとも１つの発光部（41,42,131,132,231,341,342,451,452,531,532,641,642,643）と、空気処理装置（10,110,210,310,410,510,610,630）が室内環境に与える影響の大きさを示す少なくとも１つの影響指標に応じて、発光部（41,42,131,132,231,341,342,451,452,531,532,641,642,643）が発する光の見え方を変化させる調光部（34,150,250,360,470,550,620,650）とを備える。【選択図】図３
2020024060.tif 000002
【特許請求の範囲】
【請求項１】
処理した空気を室内へ吹き出す空気処理装置（10,110,210,310,410,510,610,630）であって、
在室者に見える光を発する少なくとも１つの発光部（41,42,131,132,231,341,342,451,452,531,532,641,642,643）と、
上記空気処理装置（10,110,210,310,410,510,610,630）が室内環境に与える影響の大きさを示す少なくとも１つの影響指標に応じて、上記発光部（41,42,131,132,231,341,342,451,452,531,532,641,642,643）が発する光の見え方を変化させる調光部（34,150,250,360,470,550,620,650）とを備える
ことを特徴とする空気処理装置。
【請求項２】
請求項１において、
上記調光部（34,150,250,360,470,550,620,650）は、上記影響指標に応じて、上記発光部（41,42,131,132,231,341,342,451,452,531,532,641,642,643）の光の色および明るさの少なくとも一方を変化させる
ことを特徴とする空気処理装置。
【請求項３】
請求項２において、
上記調光部（34,150,250,360,470,550,620,650）は、第１の上記影響指標に応じて上記発光部（41,42,131,132,231,341,342,451,452,531,532,641,642,643）の光の色を変化させると同時に、上記第１影響指標と異なる第２の上記影響指標に応じて上記発光部（41,42,131,132,231,341,342,451,452,531,532,641,642,643）の光の明るさを変化させる
ことを特徴とする空気処理装置。
【請求項４】
請求項１〜３のいずれか１項において、
内部へ空気が吸い込まれるケーシング（31,121,221,311,411,511）と、
上記ケーシング（31,121,221,311,411,511）内に設けられ、該ケーシング（31,121,221,311,411,511）内で処理された空気を室内へ吹き出すファン（33,122,223,524）とを備える
ことを特徴とする空気処理装置。
【請求項５】
請求項４において、
上記調光部（34,150,250,360,470,550,620,650）は、少なくとも上記ファン（33,122,223,524）の送風量（AF）を上記影響指標とする
ことを特徴とする空気処理装置。
【請求項６】
請求項４または５において、
上記ケーシング（31,121,221,311,411,511）内に設けられ、該ケーシング（31,121,221,311,411,511）内を流れる空気を温度調節する温度調節部（32,123,222）を備え、
上記ファン（33,122,223）は、上記温度調節部（32,123,222）において温度調節された空気を室内へ吹き出す
ことを特徴とする空気処理装置。
【請求項７】
請求項６において、
上記温度調節部（32,123,222）は、上記ケーシング（31,121,221,311,411,511）内を流れる空気を熱媒体と熱交換させる熱交換器（32,123,222）である
ことを特徴とする空気処理装置。
【請求項８】
請求項７において、
冷媒を圧縮する圧縮機（21）と上記熱交換器（32,123,222）とを有して冷凍サイクルを行う冷媒回路（11,111,211）を備える
ことを特徴とする空気処理装置。
【請求項９】
請求項８において、
上記調光部（34,150,250,360,470,620）は、少なくとも上記圧縮機（21）の回転速度（RS）を上記影響指標とする
ことを特徴とする空気処理装置。
【請求項１０】
請求項６〜９のいずれか１項において、
上記調光部（34,150,250,360,470,550,620,650）は、少なくとも室内へ吹き出される空気の温度（T2）を上記影響指標とする
ことを特徴とする空気処理装置。
【請求項１１】
請求項６〜１０のいずれか１項において、
上記調光部（34,150,250,360,470,550,620,650）は、少なくとも上記ケーシング（31,121,221,311,411,511）内に吸い込まれる空気の温度（T1）と室内へ吹き出される空気の温度（T2）との差（ΔT）を上記影響指標とする
ことを特徴とする空気処理装置。
【請求項１２】
請求項６〜１１のいずれか１項において、
第１の上記発光部（131,341,451,531）および第２の上記発光部（132,342,452,532）を備え、
上記調光部（34,150,250,360,470,550,620,650）は、上記ケーシング（31,121,221,311,411,511）内に吸い込まれる空気の温度（T1）に応じて上記第１発光部（131,341,451,531）の光の色および明るさの少なくとも一方を変化させると同時に、室内へ吹き出される空気の温度（T2）に応じて上記第２発光部（132,342,452,532）の光の色および明るさの少なくとも一方を変化させる
ことを特徴とする空気処理装置。
【請求項１３】
請求項４または５において、
上記ケーシング（511）内に設けられ、該ケーシング（511）内を流れる空気を浄化する浄化部（521,522,523）を備え、
上記ファン（524）は、上記浄化部（521,522,523）において浄化された空気を室内へ吹き出す
ことを特徴とする空気処理装置。
【請求項１４】
請求項１３において、
第１の上記発光部（531,642）および第２の上記発光部（532,643）を備え、
上記調光部（550,650）は、上記ケーシング（511）内に吸い込まれる空気の清浄度（C1）に応じて上記第１発光部（531,642）の光の色および明るさの少なくとも一方を変化させると同時に、室内へ吹き出される空気の清浄度（C2）に応じて上記第２発光部（532,643）の光の色および明るさの少なくとも一方を変化させる
ことを特徴とする空気処理装置。
【請求項１５】
請求項４〜１４のいずれか１項において、
室内に設置されて上記ケーシング（311,411）の吸込口（311a,411a）に接続される吸込ユニット（321,430）と、
室内に設置されて上記ケーシング（311,411）の吹出口（311b,411c）に接続される吹出ユニット（331,440）とを備え、
上記発光部（341,342,451,452）は、上記吸込ユニット（321,430）および上記吹出ユニット（331,440）の少なくとも一方に設けられている
ことを特徴とする空気処理装置。
【発明の詳細な説明】
【技術分野】
【０００１】
本開示は、空気処理装置に関するものである。
【背景技術】
【０００２】
従来より、部屋の温度や湿度に応じて色の光を発生させる空気処理装置の表示装置が知られている（例えば、特許文献１）。同文献には、温度センサおよび湿度センサと、光発生部と、温度センサまたは湿度センサの検出信号に応じて光発生部を制御して、温度または湿度に対する人の感覚に合わせた色の光を表示させる表示制御部とを備えた空気処理装置の表示装置が開示されている。
【先行技術文献】
【特許文献】
【０００３】
【特許文献１】特開平５−１２６３９２号公報
【発明の概要】
【発明が解決しようとする課題】
【０００４】
ところで、特許文献１の表示装置によると、部屋の温度と湿度の状態を視覚的かつ直感的に表示できるものの、それはあくまで空気処理装置の周囲環境の状態を表示するにとどまる。つまり、当該表示を目にする在室者は、室内環境の状態を知ることはできても、空気処理装置が室内環境に与える影響の大きさを知ることはできない。
【０００５】
本開示の目的は、空気処理装置が室内環境に与える影響の大きさを在室者に知らせることができるようにすることにある。
【課題を解決するための手段】
【０００６】
本開示の第１の態様は、処理した空気を室内へ吹き出す空気処理装置（10,110,210,310,410,510,610,630）を対象とする。この空気処理装置（10,110,210,310,410,510,610,630）は、在室者に見える光を発する少なくとも１つの発光部（41,42,131,132,231,341,342,451,452,531,532,641,642,643）と、上記空気処理装置（10,110,210,310,410,510,610,630）が室内環境に与える影響の大きさを示す少なくとも１つの影響指標に応じて、上記発光部（41,42,131,132,231,341,342,451,452,531,532,641,642,643）が発する光の見え方を変化させる調光部（34,150,250,360,470,550,620,650）とを備える。
【０００７】
第１の態様では、調光部（34,150,250,360,470,550,620,650）は、空気処理装置（10,110,210,310,410,510,610,630）が室内環境に与える影響の大きさを示す影響指標に応じて、発光部（41,42,131,132,231,341,342,451,452,531,532,641,642,643）が発する光の見え方を変化させる。ここで、光の見え方とは、在室者に対する光の見せ方でもある。このため、発光部（41,42,131,132,231,341,342,451,452,531,532,641,642,643）が発する光を見る在室者に対して、そのように光の見え方を変化させることにより、空気処理装置（10,110,210,310,410,510,610,630）が室内環境に与える影響の大きさを知らせることができる。
【０００８】
本開示の第２の態様は、上記第１の態様において、上記調光部（34,150,250,360,470,550,620,650）は、上記影響指標に応じて、上記発光部（41,42,131,132,231,341,342,451,452,531,532,641,642,643）の光の色および明るさの少なくとも一方を変化させることを特徴とする。
【０００９】
第２の態様では、発光部（41,42,131,132,231,341,342,451,452,531,532,641,642,643）が発する光を見る在室者に対して、そのように光の色および明るさの少なくとも一方を変化させることにより、空気処理装置（10,110,210,310,410,510,610,630）が室内環境に与える影響の大きさを知らせることができる。なお、光の色を変化させるとは、光の色相、彩度、および明度のうち少なくとも１つを変化させることを言う。また、光の明るさを変化させるとは、発光部（41,42,131,132,231,341,342,451,452,531,532,641,642,643）の光束および輝度の少なくとも一方を変化させることを言う。
【００１０】
本開示の第３の態様は、上記第２の態様において、上記調光部（34,150,250,360,470,550,620,650）は、第１の上記影響指標に応じて上記発光部（41,42,131,132,231,341,342,451,452,531,532,641,642,643）の光の色を変化させると同時に、上記第１影響指標と異なる第２の上記影響指標に応じて上記発光部（41,42,131,132,231,341,342,451,452,531,532,641,642,643）の光の明るさを変化させることを特徴とする。
【００１１】
第３の態様では、発光部（41,42,131,132,231,341,342,451,452,531,532,641,642,643）が発する光を見る在室者に対して、そのように光の色および明るさの両方を変化させることにより、空気処理装置（10,110,210,310,410,510,610,630）が室内環境に与える影響の大きさを知らせることができる。
【００１２】
本開示の第４の態様は、上記第１〜第３の態様のいずれか１つにおいて、内部へ空気が吸い込まれるケーシング（31,121,221,311,411,511）と、上記ケーシング（31,121,221,311,411,511）内に設けられ、該ケーシング（31,121,221,311,411,511）内で処理された空気を室内へ吹き出すファン（33,122,223,524）とを備えることを特徴とする。
【００１３】
第４の態様では、ケーシング（31,121,221,311,411,511）内に吸い込まれた空気は、当該ケーシング（31,121,221,311,411,511）内で処理される。処理後の空気は、ファン（33,122,223,524）によって室内へ吹き出される。
【００１４】
本開示の第５の態様は、上記第４の態様において、上記調光部（34,150,250,360,470,550,620,650）は、少なくとも上記ファン（33,122,223,524）の送風量（AF）を上記影響指標とすることを特徴とする。
【００１５】
第５の態様では、ファン（33,122,223,524）の送風量（AF）に応じて、発光部（41,42,131,132,231,341,342,451,452,531,532,641,642,643）が発する光の見え方が変化する。
【００１６】
本開示の第６の態様は、上記第４または第５の態様において、上記ケーシング（31,121,221,311,411,511）内に設けられ、該ケーシング（31,121,221,311,411,511）内を流れる空気を温度調節する温度調節部（32,123,222）を備え、上記ファン（33,122,223）は、上記温度調節部（32,123,222）において温度調節された空気を室内へ吹き出すことを特徴とする。
【００１７】
第６の態様では、ケーシング（31,121,221,311,411,511）内に吸い込まれた空気は、当該ケーシング（31,121,221,311,411,511）内で温度調節部（32,123,222）によって温度調節される。温度調節された空気は、ファン（33,122,223）によって室内へ吹き出される。
【００１８】
本開示の第７の態様は、上記第６の態様において、上記温度調節部（32,123,222）は、上記ケーシング（31,121,221,311,411,511）内を流れる空気を熱媒体と熱交換させる熱交換器（32,123,222）であることを特徴とする。
【００１９】
第７の態様では、ケーシング（31,121,221,311,411,511）内に吸い込まれた空気は、熱交換器（32,123,222）における熱媒体との熱交換を通じて温度調節される。温度調節された空気は、ファン（33,122,223）によって室内へ吹き出される。
【００２０】
本開示の第８の態様は、上記第７の態様において、冷媒を圧縮する圧縮機（21）と上記熱交換器（32,123,222）とを有して冷凍サイクルを行う冷媒回路（11,111,211）を備えることを特徴とする。
【００２１】
第８の態様では、圧縮機（21）および熱交換器（32,123,222）を有する冷媒回路（11,111,211）において冷凍サイクルが行われる。当該熱交換器（32,123,222）では、ケーシング（31,121,221,311,411,511）内に吸い込まれた空気と冷媒とが熱交換する。そのようにして加熱または冷却された空気は、ファン（33,122,223,524）によって室内へ吹き出される。
【００２２】
本開示の第９の態様は、上記第８の態様において、上記調光部（34,150,250,360,470,620）は、少なくとも上記圧縮機（21）の回転速度（RS）を上記影響指標とすることを特徴とする。
【００２３】
第９の態様では、圧縮機（21）の回転速度（RS）に応じて、発光部（41,42,131,132,231,341,342,451,452,531,532,641,642,643）が発する光の見え方が変化する。
【００２４】
本開示の第１０の態様は、上記第６〜第９の態様のいずれか１つにおいて、上記調光部（34,150,250,360,470,550,620,650）は、少なくとも室内へ吹き出される空気の温度（T2）を上記影響指標とすることを特徴とする。
【００２５】
第１０の態様では、ケーシング（31,121,221,311,411,511）から室内へ吹き出される空気（以下、吹出空気とも言う）の温度（T2）に応じて、発光部（41,42,131,132,231,341,342,451,452,531,532,641,642,643）が発する光の見え方が変化する。
【００２６】
本開示の第１１の態様は、上記第６〜第１０の態様のいずれか１つにおいて、上記調光部（34,150,250,360,470,550,620,650）は、少なくとも上記ケーシング（31,121,221,311,411,511）内に吸い込まれる空気の温度（T1）と室内へ吹き出される空気の温度（T2）との差（ΔT）を上記影響指標とすることを特徴とする。
【００２７】
第１１の態様では、ケーシング（31,121,221,311,411,511）内に吸い込まれる空気（以下、吸込空気とも言う）の温度（T1）と吹出空気の温度（T2）との差（ΔT）に応じて、発光部（41,42,131,132,231,341,342,451,452,531,532,641,642,643）が発する光の見え方が変化する。
【００２８】
本開示の第１２の態様は、上記第６〜第１１の態様のいずれか１つにおいて、第１の上記発光部（131,341,451,531）および第２の上記発光部（132,342,452,532）を備え、上記調光部（34,150,250,360,470,550,620,650）は、上記ケーシング（31,121,221,311,411,511）内に吸い込まれる空気の温度（T1）に応じて上記第１発光部（131,341,451,531）の光の色および明るさの少なくとも一方を変化させると同時に、室内へ吹き出される空気の温度（T2）に応じて上記第２発光部（132,342,452,532）の光の色および明るさの少なくとも一方を変化させることを特徴とする。
【００２９】
第１２の態様では、吸込空気の温度（T1）に応じて第１発光部（131,341,451,531）の光の色および明るさの少なくとも一方が変化すると同時に、吹出空気の温度（T2）に応じて第２発光部（132,342,452,532）の光の色および明るさの少なくとも一方が変化する。これにより、第１発光部（131,341,451,531）および第２発光部（132,342,452,532）が発する光を見る在室者に対して、吸込空気の温度（T1）および吹出空気の温度（T2）の両方を見せることにより、空気処理装置（10,110,210,310,410,610）が室内環境に与える影響の大きさをより細かく知らせることができる。
【００３０】
本開示の第１３の態様は、上記第４または第５の態様において、上記ケーシング（511）内に設けられ、該ケーシング（511）内を流れる空気を浄化する浄化部（521,522,523）を備え、上記ファン（524）は、上記浄化部（521,522,523）において浄化された空気を室内へ吹き出すことを特徴とする。
【００３１】
第１３の態様では、ケーシング（511）内に吸い込まれた空気は、当該ケーシング（511）内で浄化部（521,522,523）によって浄化される。浄化された空気は、ファン（524）によって室内へ吹き出される。
【００３２】
本開示の第１４の態様は、上記第１３の態様において、第１の上記発光部（531,642）および第２の上記発光部（532,643）を備え、上記調光部（550,650）は、上記ケーシング（511）内に吸い込まれる空気の清浄度（C1）に応じて上記第１発光部（531,642）の光の色および明るさの少なくとも一方を変化させると同時に、室内へ吹き出される空気の清浄度（C2）に応じて上記第２発光部（532,643）の光の色および明るさの少なくとも一方を変化させることを特徴とする。
【００３３】
第１４の態様では、吸込空気の清浄度（C1）に応じて第１発光部（531,642）の光の色および明るさの少なくとも一方が変化すると同時に、吹出空気の清浄度（C2）に応じて第２発光部（532,643）の光の色および明るさの少なくとも一方が変化する。これにより、第１発光部（531,642）および第２発光部（532,643）が発する光を見る在室者に対して、吸込空気の清浄度（C1）および吹出空気の清浄度（C2）の両方を見せることにより、空気処理装置（510,630）が室内環境に与える影響の大きさをより細かく知らせることができる。
【００３４】
本開示の第１５の態様は、上記第４〜第１４の態様のいずれか１つにおいて、室内に設置されて上記ケーシング（311,411）の吸込口（311a,411a）に接続される吸込ユニット（321,430）と、室内に設置されて上記ケーシング（311,411）の吹出口（311b,411c）に接続される吹出ユニット（331,440）とを備え、上記発光部（341,342,451,452）は、上記吸込ユニット（321,430）および上記吹出ユニット（331,440）の少なくとも一方に設けられていることを特徴とする。
【００３５】
第１５の態様では、室内の空気が、吸込ユニット（321,430）および吸込口（311a,411a）を介してケーシング（311,411）内に吸い込まれる。ケーシング（311,411）内の空気は、その中で処理された後に、吹出口（311b,411c）および吹出ユニット（331,440）を介して室内に吹き出される。そして、吸込ユニット（321,430）および吹出ユニット（331,440）の少なくとも一方に設けられた発光部（341,342,451,452）が発する光を見る在室者に対して、そのように光の見え方を変化させることにより、空気処理装置（310,410）が室内環境に与える影響の大きさを知らせることができる。
【図面の簡単な説明】
【００３６】
【図１】図１は、実施形態１の空気処理装置（空気調和装置）の冷媒回路図である。
【図２】図２は、実施形態１の室内ユニットの斜視図である。
【図３】図３は、実施形態１における、吸込空気の温度と吹出空気の温度との差と、発光部が発する光の色との関係を示す表である。
【図４】図４は、実施形態１の変形例１における、ファンの送風量と、発光部が発する光の明るさとの関係を示す表である。
【図５】図５は、実施形態１の変形例２における、圧縮機の回転速度と、発光部が発する光の色および明るさとの関係を示す表である。
【図６】図６は、実施形態１の変形例３の室内ユニットの斜視図である。
【図７】図７は、実施形態１の変形例３における、吸込空気の温度および吹出空気の温度と、発光部が発する光の色との関係を示す表である。
【図８】図８は、実施形態２の室内ユニットの断面図である。
【図９】図９は、実施形態３の室内ユニットの断面図である。
【図１０】図１０は、実施形態４の空気処理装置（空気調和装置）の概略構成図である。
【図１１】図１１は、実施形態４の吸込ユニットの断面図である。
【図１２】図１２は、実施形態４の吹出ユニットの断面図である。
【図１３】図１３は、実施形態５の空気処理装置（換気装置）の概略構成図である。
【図１４】図１４は、実施形態６の空気処理装置（空気清浄機）を側方から見た概略断面図である。
【図１５】図１５は、実施形態６の空気処理装置（空気清浄機）を上方から見た概略断面図である。
【図１６】図１６は、実施形態６における、吸込空気の清浄度および吹出空気の清浄度と、発光部が発する光の色との関係を示す表である。
【図１７】図１７は、実施形態７の空気処理システムの概略構成図である。
【図１８】図１８は、実施形態７における、空気調和装置の運転モード、空気調和装置における吸込空気の温度と吹出空気の温度との差、ならびに空気清浄機における吸込空気の清浄度および吹出空気の清浄度と、空気調和装置および空気清浄機のそれぞれの発光部が発する光の色との関係を示す表である。
【発明を実施するための形態】
【００３７】
《実施形態１》
実施形態１について説明する。本実施形態の空気処理装置（10）は、冷却または加熱した空気を室内に吹き出す空気調和装置（10）として構成されている。
【００３８】
−空気調和装置の構成−
図１に示すように、本実施形態の空気調和装置（10）は、室外ユニット（20）と、室内ユニット（30）とを備える。室外ユニット（20）と室内ユニット（30）とは、互いに配管接続されていて、蒸気圧縮式の冷凍サイクルを行う冷媒回路（11）を構成している。
【００３９】
室外ユニット（20）は、圧縮機（21）と、四方切換弁（22）と、室外熱交換器（23）と、室外ファン（24）と、膨張弁（25）と、室外制御器（26）とを有する。室外ユニット（20）は、屋外に配置されている。室外制御器（26）は、例えば、マイクロプロセッサと、コンピュータプログラムが記憶されたメモリデバイス（具体的には半導体メモリ）とで構成されている。室外制御器（26）は、圧縮機（21）の回転速度、四方切換弁（22）の切替え、室外ファン（24）の回転速度、および膨張弁（25）の絞り度の制御等を行う。空気調和装置（10）は、四方切換弁（22）の切替えを行うことにより、冷媒回路（11）において冷媒が流れる方向を可逆に切り替えられるように構成されている。
【００４０】
図１および図２に示すように、室内ユニット（30）は、ケーシング（31）と、このケーシング（31）内に収容された室内熱交換器（32）および室内ファン（33）と、室内制御器（34）とを有する。室内ユニット（30）は、室内の壁面に取り付けられている。すなわち、本実施形態の室内ユニット（30）は、いわゆる壁掛型に構成されている。室内熱交換器（32）は、温度調節部を構成し、室内ファン（33）は、ファンを構成し、そして室内制御器（34）は、調光部を構成している。
【００４１】
ケーシング（31）の上面には室内空気を吸い込むための吸込口（図示せず）が形成され、ケーシング（31）の下面には調和空気を室内に吹き出すための吹出口（31a）が形成されている。ケーシング（31）の前面（すなわち、壁面と反対側の面）には、在室者に見える光を発する発光部（41）が設けられている。発光部（41）は、ケーシング（31）の長手方向（すなわち、図２における左右方向）に延びる細長い形状に形成されている。なお、発光部（41）の形状は、これに限られるものではない。
【００４２】
室内熱交換器（32）の風上側には、ケーシング（31）内に吸い込まれる空気（すなわち、吸込空気）の温度（T1）を測定する吸込温度センサ（51）が設けられている。室内熱交換器（32）の風下側には、ケーシング（31）から室内へ吹き出される空気（すなわち、吹出空気）の温度（T2）を測定する吹出温度センサ（52）が設けられている。吸込温度センサ（51）が測定する吸込空気の温度（T1）および吹出温度センサ（52）が測定する吹出空気の温度（T2）は、無線通信または有線通信によって室内制御器（34）へ送られる。
【００４３】
室内制御器（34）は、例えば、マイクロプロセッサと、コンピュータプログラムが記憶されたメモリデバイス（具体的には半導体メモリ）とで構成されている。室内制御器（34）は、吸込空気の温度（T1）および吹出空気の温度（T2）に応じて、室内ファン（33）の回転速度の制御等を行う。また、室内制御器（34）は、空気調和装置（10）が室内環境に与える影響の大きさを示す影響指標、ここでは吸込空気の温度（T1）と吹出空気の温度（T2）との差（ΔT）に応じて、発光部（41）が発する光の見え方、ここでは色を変化させる。
【００４４】
−影響指標と光の色との関係−
図３は、吸込空気の温度（T1）と吹出空気の温度（T2）との差（ΔT）と、発光部（41）が発する光の色との関係を示す表である。同図に示すように、室内制御器（34）は、吸込空気の温度（T1）と吹出空気の温度（T2）との差（ΔT）が大きくなるにつれて、発光部（41）が発する光の色が濃くなるように発光部（41）を制御する。ここで、室内制御器（34）は、暖房運転時には発光部（41）が発する光の色を暖色系（例えば、橙色）に設定する一方、冷房運転時には発光部（41）が発する光の色を寒色系（例えば、青色）に設定することが好ましい。
【００４５】
−運転動作−
次に、空気調和装置（10）の運転動作について説明する。暖房運転や冷房運転を行う場合には、圧縮機（21）、室外ファン（24）、および室内ファン（33）が駆動される。これにより、冷媒回路（11）において冷媒が循環し、蒸気圧縮式の冷凍サイクルが行われ、暖房運転や冷房運転等が行われる。ここで、暖房運転時には、四方切換弁（22）の切替えにより、室内熱交換器（32）が放熱器（凝縮器）として機能し、室外熱交換器（23）が蒸発器として機能する。一方、冷房運転時には、四方切換弁（22）の切替えにより、室外熱交換器（23）が放熱器（凝縮器）として機能し、室内熱交換器（32）が蒸発器として機能する。
【００４６】
ここで、室内ユニット（30）の運転中には、室内ファン（33）の回転により、室内空気が吸込口を通ってケーシング（31）内へ流入する。ここで、室内空気の温度（T1）は、吸込温度センサ（51）によって測定される。ケーシング（31）内へ流入した空気は、室内熱交換器（32）を通過する間に加熱または冷却され、その後、吹出口（31a）を通って室内へ吹き出される。
【００４７】
室内ユニット（30）は、室内空気の温度（T1）（すなわち、吸込空気の温度（T1））が所定の目標温度となるように調和空気を室内へ吹き出す。ここで、室内制御器（34）は、例えば、吸込空気の温度（T1）と目標温度との差に基づいて室内ファン（33）の回転速度を制御する。
【００４８】
−発光部が発する光の見え方の変化−
次に、発光部（41）が発する光の見え方（ここでは、色）がどのように変化するかについて説明する。暖房運転または冷房運転の開始時には、室内空気の温度（T1）（すなわち、吸込空気の温度（T1））と所定の目標温度との差が大きく、このために室外制御器（26）によって圧縮機（21）の回転速度が比較的高く設定されることが多い。この場合、室内熱交換器（32）における冷媒の単位時間当たりの流量が大きくなり、室内熱交換器（32）に到達した室内空気が比較的大幅に加熱または冷却される。そうすると、吸込空気の温度（T1）と吹出空気の温度（T2）との差（ΔT）が比較的大きくなる。そのため、室内制御器（34）によって、発光部（41）が発する光の色が濃く設定される。例えば、冷房運転の開始時には、発光部（41）が発する光の色が濃い青色に設定される一方、暖房運転の開始時には、発光部（41）が発する光の色が濃い橙色に設定されることが考えられる。
【００４９】
そして、暖房運転または冷房運転を継続していると、当該運転の開始時に比べて、室内空気の温度（T1）（すなわち、吸込空気の温度（T1））と所定の目標温度との差が小さくなっていき、このために室外制御器（26）によって圧縮機（21）の回転速度が低められていく。この場合、室内熱交換器（32）における冷媒の単位時間当たりの流量が小さくなっていき、室内熱交換器（32）に到達した室内空気が加熱または冷却される程度も小さくなっていく。そのため、室内制御器（34）によって、発光部（41）が発する光の色が薄められていく。例えば、冷房運転を開始して十分に時間が経過した場合、発光部（41）が発する光の色が薄い青色に設定される一方、暖房運転を開始して十分に時間が経過した場合、発光部（41）が発する光の色が薄い橙色に設定されることが考えられる。
【００５０】
−実施形態１の効果−
本実施形態の空気調和装置（10）は、在室者に見える光を発する発光部（41）と、上記空気調和装置（10）が室内環境に与える影響の大きさを示す少なくとも１つの影響指標に応じて、上記発光部（41）が発する光の見え方を変化させる室内制御器（34）とを備える。したがって、室内制御器（34）は、空気調和装置（10）が室内環境に与える影響の大きさを示す影響指標に応じて、発光部（41）が発する光の見え方を変化させる。このため、発光部（41）が発する光を見る在室者に対して、そのように光の見え方を変化させることにより、空気調和装置（10）が室内環境に与える影響の大きさを知らせることができる。
【００５１】
また、本実施形態の空気調和装置（10）は、上記室内制御器（34）が、上記影響指標に応じて、上記発光部（41）の光の色を変化させる。したがって、発光部（41）が発する光を見る在室者に対して、そのように光の色を変化させることにより、空気調和装置（10）が室内環境に与える影響の大きさを知らせることができる。
【００５２】
また、本実施形態の空気調和装置（10）は、内部へ空気が吸い込まれるケーシング（31）と、上記ケーシング（31）内に設けられ、該ケーシング（31）内で処理された空気を室内へ吹き出す室内ファン（33）とを備える。したがって、ケーシング（31）内に吸い込まれた空気は、当該ケーシング（31）内で処理される。処理後の空気は、室内ファン（33）によって室内へ吹き出される。
【００５３】
また、本実施形態の空気調和装置（10）は、上記ケーシング（31）内に設けられ、該ケーシング（31）内を流れる空気を温度調節する室内熱交換器（32）を備え、上記室内ファン（33）は、上記室内熱交換器（32）において温度調節された空気を室内へ吹き出す。したがって、ケーシング（31）内に吸い込まれた空気は、当該ケーシング（31）内で室内熱交換器（32）によって温度調節される。温度調節された空気は、室内ファン（33）によって室内へ吹き出される。
【００５４】
また、本実施形態の空気調和装置（10）は、冷媒を圧縮する圧縮機（21）と上記室内熱交換器（32）とを有して冷凍サイクルを行う冷媒回路（11）を備える。したがって、圧縮機（21）および室内熱交換器（32）を有する冷媒回路（11）において冷凍サイクルが行われる。当該室内熱交換器（32）では、ケーシング（31）内に吸い込まれた空気と冷媒とが熱交換する。そのようにして加熱または冷却された空気は、室内ファン（33）によって室内へ吹き出される。
【００５５】
また、本実施形態の空気調和装置（10）は、上記室内制御器（34）が、上記ケーシング（31）内に吸い込まれる空気の温度（T1）と室内へ吹き出される空気の温度（T2）との差（ΔT）を上記影響指標とする。したがって、ケーシング（31）内に吸込空気の温度（T1）と吹出空気の温度（T2）との差（ΔT）に応じて、発光部（41）が発する光の見え方が変化する。
【００５６】
−実施形態１の変形例１−
実施形態１の変形例１について説明する。本変形例は、上記実施形態１と影響指標等が異なる。以下、実施形態１と異なる点について主に説明する。
【００５７】
図４は、室内ファン（33）の送風量（AF）と、発光部（41）が発する光の明るさとの関係を示す表である。このように、本変形例の空気調和装置（10）における影響指標は、室内ファン（33）の送風量（AF）（具体的には、室内ファン（33）の回転速度）である。そして、室内制御器（34）は、室内ファン（33）の送風量（AF）が大きくなるにつれて、発光部（41）が発する光の明るさをより高く設定する。
【００５８】
その他の構成および得られる効果は、上記実施形態１と同様である。
【００５９】
また、本変形例の空気調和装置（10）は、上記室内制御器（34）が、上記室内ファン（33）の送風量（AF）を上記影響指標とする。したがって、室内ファン（33）の送風量（AF）に応じて、発光部（41）が発する光の見え方が変化する。
【００６０】
−実施形態１の変形例２−
実施形態１の変形例２について説明する。本変形例は、上記実施形態１と影響指標等が異なる。以下、実施形態１と異なる点について主に説明する。
【００６１】
図５は、圧縮機（21）の回転速度（RS）と、発光部（41）が発する光の色および明るさとの関係を示す表である。このように、本変形例の空気調和装置（10）における影響指標は、圧縮機（21）の回転速度（RS）である。そして、室内制御器（34）は、圧縮機（21）の回転速度（RS）が高くなるにつれて、発光部（41）が発する光の色をより濃く設定すると同時に、その明るさをより高く設定する。
【００６２】
その他の構成および得られる効果は、上記実施形態１と同様である。
【００６３】
また、本変形例の空気調和装置（10）は、上記室内制御器（34）が、上記圧縮機（21）の回転速度（RS）を上記影響指標とする。したがって、圧縮機（21）の回転速度（RS）に応じて、発光部（41）が発する光の見え方が変化する。
【００６４】
また、本変形例の空気調和装置（10）は、上記室内制御器（34）が、上記影響指標に応じて、上記発光部（41）の光の色および明るさの両方を変化させる。したがって、発光部（41）が発する光を見る在室者に対して、そのように光の色および明るさの両方を変化させることにより、空気調和装置（10）が室内環境に与える影響の大きさをより明確に知らせることができる。
【００６５】
−実施形態１の変形例３−
実施形態１の変形例３について説明する。本変形例は、上記実施形態１と発光部（41）の数および影響指標等が異なる。以下、実施形態１と異なる点について主に説明する。
【００６６】
図６は、本変形例の室内ユニット（30）の斜視図である。同図に示すように、室内ユニット（30）のケーシング（31）には、２つの発光部（41）、すなわち第１発光部（41）および第２発光部（42）が設けられている。第１発光部（41）は、吸込口の近傍に設けられている。第２発光部（42）は、吹出口（31a）の近傍に設けられている。第１発光部（41）および第２発光部（42）は、ケーシング（31）の長手方向（すなわち、図６における左右方向）に延びる細長い形状に形成されている。なお、第１発光部（41）および第２発光部（42）の形状は、これに限られるものではない。
【００６７】
図７は、吸込空気の温度（T1）および吹出空気の温度（T2）と、第１発光部（41）および第２発光部（42）が発する光の色との関係を示す表である。このように、本変形例の空気調和装置（10）における影響指標は、吸込空気の温度（T1）および吹出空気の温度（T2）である。そして、室内制御器（34）は、吸込空気の温度（T1）が高くなるにつれて、第１発光部（41）が発する光の色をより濃く設定すると同時に、吹出空気の温度（T2）が高くなるにつれて、第２発光部（42）が発する光の色をより濃く設定する。
【００６８】
その他の構成および得られる効果は、上記実施形態１と同様である。
【００６９】
また、本変形例の空気調和装置（10）は、第１発光部（41）および第２発光部（42）を備え、上記室内制御器（34）は、上記ケーシング（31）内に吸い込まれる空気の温度（T1）に応じて上記第１発光部（41）の光の色を変化させると同時に、室内へ吹き出される空気の温度（T2）に応じて上記第２発光部（42）の光の色を変化させる。したがって、吸込空気の温度（T1）に応じて第１発光部（41）の光の色が変化すると同時に、吹出空気の温度（T2）に応じて第２発光部（42）の光の色が変化する。これにより、第１発光部（41）および第２発光部（42）が発する光を見る在室者に対して、吸込空気の温度（T1）および吹出空気の温度（T2）の両方を見せることにより、空気調和装置（10）が室内環境に与える影響の大きさをより細かく知らせることができる。
【００７０】
《実施形態２》
実施形態２について説明する。
【００７１】
図８は、実施形態２の空気調和装置（110）の室内ユニット（120）の断面図である。同図に示すように、室内ユニット（120）は、天井設置型（より具体的には、天井埋込型）の室内ユニットであって、ケーシング（121）と、室内ファン（122）と、室内熱交換器（123）と、ドレンパン（124）と、フィルタ（125）と、風向調節羽根（126）と、第１発光部（131）および第２発光部（132）と、第１反射板（141）および第２反射板（142）と、室内制御器（150）とを備える。室内熱交換器（123）は、温度調節部を構成し、室内ファン（122）は、ファンを構成し、室内制御器（150）は、調光部を構成している。
【００７２】
ケーシング（121）は、図８に示すように、概ね中空直方体状に形成されている。ケーシング（121）は、天井（100）に埋め込まれている。ケーシング（121）の下面には、室内空気を吸い込むための吸込口（121a）と、室内へ調和空気を吹き出すための吹出口（121b）とが形成されている。吸込口（121a）は、ケーシング（121）の下面中央に形成され、吹出口（121b）は、当該吸込口（121a）を取り囲むように複数形成されている。
【００７３】
室内ファン（122）は、ケーシング（121）内の略中央に配置されている。室内ファン（122）は、回転することで、吸込口（121a）を介してケーシング（121）内へ室内空気を吸い込むと共にケーシング（121）から吹出口（121b）を介して室内へ調和空気を吹き出すように構成されている。この例では、室内ファン（122）は、概ねケーシング（121）の中央部から外周部へ向かう空気流れを作り出す。
【００７４】
室内熱交換器（123）は、室内ファン（122）を取り囲むように設けられている。室内熱交換器（123）は、その内部を流れる空気と冷媒回路（111）を流れる冷媒とを熱交換させるように構成されている。室内熱交換器（123）は、この例では１つ設けられているが、その数はこれに限定されない。
【００７５】
ドレンパン（124）は、室内熱交換器（123）の下方に配置されている。ドレンパン（124）は、室内熱交換器（123）で空気中の水分が結露することで生じるドレン水を受けるように構成されている。
【００７６】
フィルタ（125）は、吸込口（121a）と室内ファン（122）との間に設けられている。フィルタ（125）は、ケーシング（121）内に吸い込まれた空気中の塵埃などを除去するように構成されている。
【００７７】
風向調節羽根（126）は、吹出口（121b）に配置されている。風向調節羽根（126）は、水平方向に延びる板状部材によって構成されている。風向調節羽根（126）は、吹出空気の風向を上下方向において調節するように構成されている。
【００７８】
第１発光部（131）は、例えばＬＥＤ（Light Emitting Diode）で構成されている。第１発光部（131）は、ケーシング（121）の吹出口（121b）の近傍に配置されている。第１発光部（131）は、ケーシング（121）の周方向において、吹出口（121b）が存在する範囲の全体にわたって並んで複数配置されている。第１発光部（131）は、在室者に見える光を発するように構成されている。第１発光部（131）の光は、吹出口（121b）から漏れ出してまたは第１反射板（141）に反射されて在室者に視認される。
【００７９】
第２発光部（132）は、例えばＬＥＤで構成されている。第２発光部（132）は、ケーシング（121）の吸込口（121a）の近傍に配置されている。第２発光部（132）は、ケーシング（121）の周方向において、吸込口（121a）が存在する範囲の全体にわたって並んで複数配置されている。第２発光部（132）は、在室者に見える光を発するように構成されている。第２発光部（132）の光は、吸込口（121a）から漏れ出してまたは第２反射板（142）に反射されて在室者に視認される。
【００８０】
第１反射板（141）は、吹出口（121b）の近傍において、ケーシング（121）の中心側の壁面に沿って配置された板状の部材である。第１反射板（141）は、ケーシング（121）の周方向に延びている。第１反射板（141）は、第１発光部（131）の光を反射して室内空間に導くように構成されている。
【００８１】
第２反射板（142）は、吸込口（121a）の近傍において、ケーシング（121）の外周側の壁面に沿って配置された板状の部材である。第２反射板（142）は、ケーシング（121）の周方向に延びている。第２反射板（142）は、第２発光部（132）の光を反射して室内空間に導くように構成されている。
【００８２】
室内制御器（150）は、例えば、マイクロプロセッサと、コンピュータプログラムが記憶されたメモリデバイス（具体的には半導体メモリ）とで構成されている。室内制御器（150）は、室内ユニット（120）の各構成要素（例えば、室内ファン（122）、および風向調節羽根（126）等）の動作を制御する。
【００８３】
また、室内制御器（150）は、空気調和装置（110）が室内環境に与える影響の大きさを示す影響指標、ここでは吸込空気の温度（T1）と吹出空気の温度（T2）との差（ΔT）に応じて、第１発光部（131）および第２発光部（132）が発する光の見え方、ここでは色を変化させる。具体的に、室内制御器（150）は、吸込空気の温度（T1）と吹出空気の温度（T2）との差（ΔT）が大きくなるにつれて、第１発光部（131）および第２発光部（132）が発する光の色が濃くなるように第１発光部（131）および第２発光部（132）を制御する。ここで、室内制御器（150）は、暖房運転時には第１発光部（131）および第２発光部（132）が発する光の色を暖色系（例えば、橙色）に設定する一方、冷房運転時には第１発光部（131）および第２発光部（132）が発する光の色を寒色系（例えば、青色）に設定することが好ましい。
【００８４】
−実施形態２の効果−
本実施形態の空気調和装置（110）によっても、上記実施形態１と同様の効果が得られる。
【００８５】
《実施形態３》
実施形態３について説明する。
【００８６】
図９は、実施形態３の空気調和装置（210）の室内ユニット（220）の断面図である。同図に示すように、室内ユニット（220）は、天井設置型（より具体的には、天井吊下げ型）の室内ユニットであって、ケーシング（221）と、室内熱交換器（222）と、室内ファン（223）と、第１風向調節羽根（224）および第２風向調節羽根（225）と、発光部（231）と、反射板（241）と、室内制御器（250）とを備える。室内熱交換器（222）は、温度調節部を構成し、室内ファン（223）は、ファンを構成し、室内制御器（250）は、調光部を構成している。
【００８７】
ケーシング（221）は、図９に示すように、概ね中空直方体状に形成されている。ケーシング（221）は、天井（200）に吊り下げられている。ケーシング（221）の下面には、室内空気を吸い込むための吸込口（221a）が形成されている。ケーシング（221）の前面（すなわち、図９における左側面）には、室内へ調和空気を吹き出すための吹出口（221b）が形成されている。
【００８８】
室内熱交換器（222）は、ケーシング（221）内の略中央に配置されている。室内熱交換器（222）は、その内部を流れる空気と冷媒回路（211）を流れる冷媒とを熱交換させるように構成されている。室内熱交換器（222）は、この例では１つ設けられているが、その数はこれに限定されない。
【００８９】
室内ファン（223）は、吸込口（221a）の上方に配置されている。室内ファン（223）は、回転することで、吸込口（221a）を介してケーシング（221）内へ室内空気を吸い込むと共にケーシング（221）から吹出口（221b）を介して室内へ調和空気を吹き出すように構成されている。この例では、室内ファン（223）は、図９において概ね右方から左方へ向かう空気流れを作り出す。
【００９０】
第１風向調節羽根（224）は、室内熱交換器（222）の下流側に配置されている。第１風向調節羽根（224）は、上下方向に延びる複数の板状部材によって構成されている。第１風向調節羽根（224）は、吹出空気の風向を水平方向において調節するように構成されている。第１風向調節羽根（224）は、例えばユーザが手動で向きを調節できるものであってもよい。
【００９１】
第２風向調節羽根（225）は、吹出口（221b）に配置されている。第２風向調節羽根（225）は、水平方向に延びる板状部材によって構成されている。第２風向調節羽根（225）は、吹出空気の風向を上下方向において調節するように構成されている。
【００９２】
発光部（231）は、例えばＬＥＤで構成されている。発光部（231）は、第１風向調節羽根（224）の下方に配置されている。発光部（231）は、ケーシング（221）の幅方向（図９における紙面直交方向）において、吹出口（221b）が存在する範囲の全体にわたって並んで複数配置されている。発光部（231）は、在室者に見える光を発するように構成されている。発光部（231）の光は、吹出口（221b）から漏れ出してまたは反射板（241）に反射されて在室者に視認される。
【００９３】
反射板（241）は、第２風向調節羽根（225）の一方の面に設けられた板状の部材である。反射板（241）は、ケーシング（221）の幅方向に延びている。反射板（241）は、発光部（231）の光を反射して室内空間に導くように構成されている。
【００９４】
室内制御器（250）は、例えば、マイクロプロセッサと、コンピュータプログラムが記憶されたメモリデバイス（具体的には半導体メモリ）とで構成されている。室内制御器（250）は、室内ユニット（220）の各構成要素（例えば、室内ファン（223）および第２風向調節羽根（225）など）の動作を制御する。
【００９５】
また、室内制御器（250）は、空気調和装置（210）が室内環境に与える影響の大きさを示す影響指標、ここでは吸込空気の温度（T1）と吹出空気の温度（T2）との差（ΔT）に応じて、発光部（231）が発する光の見え方、ここでは明るさを変化させる。具体的に、室内制御器（250）は、吸込空気の温度（T1）と吹出空気の温度（T2）との差（ΔT）が大きくなるにつれて、発光部（231）が発する光の明るさが高くなるように発光部（231）を制御する。ここで、室内制御器（250）は、暖房運転時には発光部（231）が発する光の色を暖色系（例えば、橙色）に設定する一方、冷房運転時には発光部（231）が発する光の色を寒色系（例えば、青色）に設定することが好ましい。
【００９６】
−実施形態３の効果−
本実施形態の空気調和装置（210）によっても、上記実施形態１と同様の効果を得ることができる。
【００９７】
《実施形態４》
実施形態４について説明する。
【００９８】
図１０は、実施形態４の空気調和装置（310）の概略構成図である。同図に示すように、空気調和装置（310）は、複数の室内空間（301）に対する空気調和を行うダクト式の空気調和装置として構成されている。空気調和装置（310）は、ケーシング（311）と、少なくとも１つの吸込ユニット（321）と、少なくとも１つの吹出ユニット（331）と、第１発光部（341）および第２発光部（342）と、第１反射板（351）および第２反射板（352）と、制御器（360）とを備える。制御器（360）は、調光部を構成している。
【００９９】
ケーシング（311）は、天井裏の空間に配置された略直方体状の箱体である。ケーシング（311）には、吸込口（311a）および吹出口（311b）が形成されている。ケーシング（311）の内部には、それぞれ図示を省略する、熱交換器およびファン等が収容されている。熱交換器は、それぞれ図示を省略する、圧縮機、四方切換弁、室外熱交換器、および膨張弁と共に図１と同様の冷媒回路を構成している。熱交換器は、温度調節部を構成している。
【０１００】
ケーシング（311）における吸込口（311a）の近傍には、吸込空気の温度（T1）を測定する吸込温度センサ（371）が設けられている。また、ケーシング（311）における吹出口（311b）の近傍には、吹出空気の温度（T2）を測定する吹出温度センサ（372）が設けられている。吸込温度センサ（371）が測定する吸込空気の温度（T1）および吹出温度センサ（372）が測定する吹出空気の温度（T2）は、無線通信または有線通信によって制御器（360）へ送られる。
【０１０１】
吸込ユニット（321）は、天井（300）に設けられていて、室内空間（301）に臨んでいる。図１１に示すように、吸込ユニット（321）の下面には、室内空気を吸い込むためのユニット吸込口（321a）が形成されている。吸込ユニット（321）は、吸込ダクト（320）を介してケーシング（311）の吸込口（311a）に接続されている。ファンが駆動されると、吸込ユニット（321）および吸込ダクト（320）を介して、ケーシング（311）内に室内空気が吸い込まれる。
【０１０２】
吹出ユニット（331）は、天井（300）に設けられていて、室内空間（301）に臨んでいる。図１２に示すように、吹出ユニット（331）には、室内へ調和空気を吹き出すためのユニット吹出口（331a）が形成されている。このユニット吹出口（331a）には、複数層に重なった傘状の吹出グリル（331b）が設けられている。吹出ユニット（331）は、吹出ダクト（330）を介してケーシング（311）の吹出口（311b）に接続されている。ファンが駆動されると、吹出ダクト（330）および吹出ユニット（331）を介して、ケーシング（311）から室内空間（301）へ空気が吹き出される。
【０１０３】
第１発光部（341）は、例えばＬＥＤで構成されている。図１１に示すように、第１発光部（341）は、吸込ユニット（321）の内部に配置されている。第１発光部（341）は、在室者に見える光を発するように構成されている。第１発光部（341）の光は、ユニット吸込口（321a）から漏れ出してまたは第１反射板（351）に反射されて在室者に視認される。
【０１０４】
第２発光部（342）は、例えばＬＥＤで構成されている。図１２に示すように、第２発光部（342）は、吹出ユニット（331）の吹出グリル（331b）に設けられている。第２発光部（342）は、吹出グリル（331b）の全周にわたって並んで複数配置されている。第２発光部（342）は、在室者に見える光を発するように構成されている。第２発光部（342）の光は、吹出グリル（331b）から漏れ出してまたは第２反射板（352）に反射されて在室者に視認される。
【０１０５】
第１反射板（351）は、吸込ユニット（321）の内部に配置された板状の部材である。第１反射板（351）は、第１発光部（341）の光を反射して室内空間（301）に導くように構成されている。
【０１０６】
第２反射板（352）は、吹出ユニット（331）において、吹出グリル（331b）の内周面に沿って配置された環状かつ板状の部材である。第２反射板（352）は、第２発光部（342）の光を反射して室内空間（301）に導くように構成されている。
【０１０７】
制御器（360）は、例えば、マイクロプロセッサと、コンピュータプログラムが記憶されたメモリデバイス（具体的には半導体メモリ）とで構成されている。制御器（360）は、吸込空気の温度（T1）および吹出空気の温度（T2）に応じて、ファンの回転速度の制御等を行う。また、制御器（360）は、空気調和装置（310）が室内環境に与える影響の大きさを示す影響指標、ここでは吸込空気の温度（T1）および吹出空気の温度（T2）に応じて、第１発光部（341）および第２発光部（342）が発する光の見え方、ここでは色を変化させる。具体的に、制御器（360）は、吸込空気の温度（T1）および吹出空気の温度（T2）が高くなるにつれて、第１発光部（341）および第２発光部（342）が発する光の色が濃くなるように第１発光部（341）および第２発光部（342）を制御する。
【０１０８】
−実施形態４の効果−
本実施形態の空気調和装置（310）によっても、上記実施形態１と同様の効果を得ることができる。
【０１０９】
また、本実施形態の空気調和装置（310）は、室内に設置されて上記ケーシング（311）の吸込口（311a）に接続される吸込ユニット（321）と、室内に設置されて上記ケーシング（311）の吹出口（311b）に接続される吹出ユニット（331）とを備え、上記発光部（341,342）は、上記吸込ユニット（321）および上記吹出ユニット（331）の両方に設けられている。したがって、室内の空気が、吸込ユニット（321）および吸込口（311a）を介してケーシング（311）内に吸い込まれる。ケーシング（311）内の空気は、その中で温度調節された後に、吹出口（311b）および吹出ユニット（331）を介して室内に吹き出される。そして、吸込ユニット（321）および吹出ユニット（331）の両方に設けられた発光部（341,342）、すなわち第１発光部（341）および第２発光部（342）が発する光を見る在室者に対して、そのように光の見え方を変化させることにより、空気調和装置（310）が室内環境に与える影響の大きさを知らせることができる。
【０１１０】
《実施形態５》
実施形態５について説明する。本実施形態の空気処理装置（410）は、温度および湿度を調節した外気を室内に吹き出す換気装置（410）として構成されている。
【０１１１】
図１３は、実施形態５の換気装置（410）の概略構成図である。同図に示すように、換気装置（410）は、複数の室内空間（400）に対する換気を行うダクト式の換気装置として構成されている。換気装置（410）は、ケーシング（411）と、少なくとも１つの吸込ユニット（430）と、少なくとも１つの吹出ユニット（440）と、第１発光部（451）および第２発光部（452）と、第１反射板（461）および第２反射板（462）と、制御器（470）とを備える。制御器（470）は、調光部を構成している。
【０１１２】
ケーシング（411）は、天井裏の空間に配置された略直方体状の箱体である。ケーシング（411）には、第１吸込口（411a）および第２吸込口（411b）と、第１吹出口（411c）および第２吹出口（411d）とが形成されている。ケーシング（411）の内部には、それぞれ図示を省略する、熱交換器、ファン、圧縮機、および流路切替機構等が収容されている。熱交換器は、温度調節部を構成している。
【０１１３】
第１吸込口（411a）は、室内空間（400）からケーシング（411）内へ室内空気を導くためのものであって、第１吸込ダクト（421）を介して吸込ユニット（430）に接続されている。第２吸込口（411b）は、室外空間からケーシング（411）内へ室外空気を導くためのものであって、第２吸込ダクト（422）を介して室外空間へ連通している。第１吹出口（411c）は、ケーシング（411）内から室内空間（400）へ空気を導くためのものであって、第１吹出ダクト（423）を介して吹出ユニット（440）に接続されている。第２吹出口（411d）は、ケーシング（411）内から室外空間へ空気を導くためのものであって、第２吹出ダクト（424）を介して室外空間へ連通している。
【０１１４】
ケーシング（411）における第１吸込口（411a）の近傍には、吸込空気の温度（T1）を測定する吸込温度センサ（481）が設けられている。また、ケーシング（411）における第１吹出口（411c）の近傍には、吹出空気の温度（T2）を測定する吹出温度センサ（482）が設けられている。吸込温度センサ（481）が測定する吸込空気の温度（T1）および吹出温度センサ（482）が測定する吹出空気の温度（T2）は、無線通信または有線通信によって制御器（470）へ送られる。
【０１１５】
吸込ユニット（430）、吹出ユニット（440）、第１発光部（451）、第２発光部（452）、第１反射板（461）、および第２反射板（462）の構成は、上記実施形態４のものと同様であるので、ここではその詳細な説明および図示を省略する。
【０１１６】
制御器（470）は、例えば、マイクロプロセッサと、コンピュータプログラムが記憶されたメモリデバイス（具体的には半導体メモリ）とで構成されている。制御器（470）は、吸込空気の温度（T1）および吹出空気の温度（T2）に応じて、ファンの回転速度の制御等を行う。また、制御器（470）は、換気装置（410）が室内環境に与える影響の大きさを示す影響指標、ここでは吸込空気の温度（T1）および吹出空気の温度（T2）に応じて、第１発光部（451）および第２発光部（452）が発する光の見え方、ここでは色を変化させる。具体的に、制御器（470）は、吸込空気の温度（T1）および吹出空気の温度（T2）が高くなるにつれて、第１発光部（451）および第２発光部（452）が発する光の色が濃くなるように第１発光部（451）および第２発光部（452）を制御する。
【０１１７】
換気装置（410）は、ファンおよび圧縮機を駆動すると共に流路切替機構によってケーシング（411）内の流路を切り替えることにより、第２吸込口（411b）から吸い込んだ室外空気の温度や湿度を調節したものを第１吹出口（411c）から室内空間（400）へ供給する一方、第１吸込口（411a）から吸い込んだ室内空気を第２吹出口（411d）から室外空間へ排出するように構成されている。
【０１１８】
−実施形態５の効果−
本実施形態の換気装置（410）によっても、上記実施形態４と同様の効果を得ることができる。
【０１１９】
《実施形態６》
実施形態６について説明する。本実施形態の空気処理装置（510）は、吸い込んだ室内空気を浄化して室内に吹き出す空気清浄機（510）として構成されている。
【０１２０】
−空気清浄機の構成−
図１４および図１５に示すように、本実施形態の空気清浄機（510）は、ケーシング（511）と、このケーシング（511）内に収容されたプレフィルタ（521）、集塵フィルタ（522）、消臭フィルタ（523）、およびファン（524）と、第１発光部（531）および第２発光部（532）と、第１反射板（541）および第２反射板（542）と、制御器（550）とを有する。プレフィルタ（521）、集塵フィルタ（522）、および消臭フィルタ（523）は、浄化部を構成し、制御器（550）は、調光部を構成している。
【０１２１】
ケーシング（511）は、ケーシング本体（512）と、このケーシング本体（512）の前側（すなわち、図１４における左側）に配置された前面パネル（515）と、ケーシング本体（512）の後側の上部に回動可能に支持された吹出口カバー（516）とを有する。ケーシング本体（512）と前面パネル（515）との間には、その左右および下部に、室内空気を吸い込むための吸込口（513）が形成されている。ケーシング本体（512）の後側の上面には、浄化空気を室内に吹き出すための吹出口（514）が形成されている。吹出口（514）は、吹出口カバー（516）によって開閉可能になっている。
【０１２２】
プレフィルタ（521）の風上側には、ケーシング（511）内に吸い込まれる空気（すなわち、吸込空気）の清浄度（C1）を測定する吸込清浄度センサ（561）が設けられている。ファン（524）の風下側には、ケーシング（511）から室内へ吹き出される空気（すなわち、吹出空気）の清浄度（C2）を測定する吹出清浄度センサ（562）が設けられている。吸込清浄度センサ（561）が測定する吸込空気の清浄度（C1）および吹出清浄度センサ（562）が測定する吹出空気の清浄度（C2）は、無線通信または有線通信によって制御器（550）へ送られる。
【０１２３】
第１発光部（531）は、例えばＬＥＤで構成されている。第１発光部（531）は、図１５に示すように、前面パネル（515）の裏面に配置されている。また、第１発光部（531）は、吸込口（513）の近傍に配置されている。第１発光部（531）は、当該吸込口（513）が延びる範囲の全体にわたって並んで複数配置されている。第１発光部（531）は、在室者に見える光を発するように構成されている。第１発光部（531）の光は、吸込口（513）から漏れ出してまたは第１反射板（541）に反射されて在室者に視認される。
【０１２４】
第２発光部（532）は、例えばＬＥＤで構成されている。第２発光部（532）は、図１４に示すように、ケーシング本体（512）の吹出口（514）の近傍に配置されている。第２発光部（532）は、ケーシング本体（512）の幅方向（すなわち、図１４における紙面直交方向）において、吹出口（514）が存在する範囲の全体にわたって並んで複数配置されている。第２発光部（532）は、在室者に見える光を発するように構成されている。第２発光部（532）の光は、吹出口（514）から漏れ出してまたは第２反射板（542）に反射されて在室者に視認される。
【０１２５】
第１反射板（541）は、吸込口（513）の近傍において、ケーシング本体（512）の壁面に沿って配置された板状の部材である。左右の吸込口（513）の近傍に配置された第１反射板（541）は、上下方向に延びており、下部の吸込口（513）の近傍に配置された第１反射板（541）は、左右方向に延びている。第１反射板（541）は、第１発光部（531）の光を反射して室内空間に導くように構成されている。
【０１２６】
第２反射板（542）は、吹出口（514）の近傍において、ケーシング本体（512）の内部に配置された板状の部材である。第２反射板（542）は、ケーシング本体（512）の幅方向に延びている。第２反射板（542）は、第２発光部（532）の光を反射して室内空間に導くように構成されている。
【０１２７】
制御器（550）は、例えば、マイクロプロセッサと、コンピュータプログラムが記憶されたメモリデバイス（具体的には半導体メモリ）とで構成されている。制御器（550）は、吸込空気の清浄度（C1）および吹出空気の清浄度（C2）に応じて、ファン（524）の回転速度の制御等を行う。また、制御器（550）は、空気清浄機（510）が室内環境に与える影響の大きさを示す影響指標、ここでは吸込空気の清浄度（C1）および吹出空気の清浄度（C2）に応じて、第１発光部（531）および第２発光部（532）が発する光の見え方、ここでは色を変化させる。
【０１２８】
−影響指標と光の色との関係−
図１６は、吸込空気の清浄度（C1）および吹出空気の清浄度（C2）と、第１発光部（531）および第２発光部（532）が発する光の色との関係を示す表である。同図に示すように、制御器（550）は、吸込空気の清浄度（C1）が高くなるにつれて、第１発光部（531）が発する光の色が薄くなるように第１発光部（531）を制御する。また、制御器（550）は、吹出空気の清浄度（C2）が高くなるにつれて、第２発光部（532）が発する光の色が薄くなるように第２発光部（532）を制御する。なお、制御器（550）は、第２発光部（532）が発する光の色を、吹出空気の清浄度（C2）に関係なく常に薄く設定してもよい。ここで、制御器（550）は、第１発光部（531）および第２発光部（532）が発する光の色をアースカラー系（例えば、緑色）に設定することが好ましい。
【０１２９】
−運転動作−
次に、空気清浄機（510）の運転動作について説明する。空気清浄機（510）の運転時には、ファン（524）が駆動される。これにより、吸込口（513）を介して室内空気がケーシング（511）内に吸い込まれ、プレフィルタ（521）、集塵フィルタ（522）、および消臭フィルタ（523）で浄化された空気が吹出口（514）を介して室内空間へ吹き出される。
【０１３０】
−発光部が発する光の見え方の変化−
次に、第１発光部（531）および第２発光部（532）が発する光の見え方（ここでは、色）がどのように変化するかについて説明する。空気清浄機（510）の運転の開始時には、室内空気の清浄度（C1）が比較的低いことが考えられる。そのため、制御器（550）によって、第１発光部（531）が発する光の色が濃く設定される。例えば、空気清浄機（510）の運転の開始時には、第１発光部（531）が発する光の色が濃い緑色に設定される一方、第２発光部（532）が発する光の色がやや薄い緑色に設定されることが考えられる。
【０１３１】
そして、空気清浄機（510）の運転を継続していると、その開始時に比べて、室内空気の清浄度（C1）が高くなっていく。そのため、制御器（550）によって、第１発光部（531）が発する光の色が薄められていく。例えば、空気清浄機（510）の運転を開始して十分に時間が経過した場合、第１発光部（531）および第２発光部（532）が発する光の色が薄い緑色に設定されることが考えられる。
【０１３２】
−実施形態６の効果−
本実施形態の空気清浄機（510）によっても、上記実施形態１と同様の効果を得ることができる。
【０１３３】
また、本実施形態の空気清浄機（510）は、上記ケーシング（511）内に設けられ、該ケーシング（511）内を流れる空気を浄化するプレフィルタ（521）、集塵フィルタ（522）、および消臭フィルタ（523）を備え、上記ファン（524）は、上記プレフィルタ（521）、集塵フィルタ（522）、および消臭フィルタ（523）において浄化された空気を室内へ吹き出す。したがって、ケーシング（511）内に吸い込まれた空気は、当該ケーシング（511）内でプレフィルタ（521）、集塵フィルタ（522）、および消臭フィルタ（523）によって浄化される。浄化された空気は、ファン（524）によって室内へ吹き出される。
【０１３４】
また、本実施形態の空気清浄機（510）は、第１の上記発光部（531）および第２の上記発光部（532）を備え、上記制御器（550）は、上記ケーシング（511）内に吸い込まれる空気の清浄度（C1）に応じて上記第１発光部（531）の光の色を変化させると同時に、室内へ吹き出される空気の清浄度（C2）に応じて上記第２発光部（532）の光の色を変化させる。したがって、吸込空気の清浄度（C1）に応じて第１発光部（531）の光の色が変化すると同時に、吹出空気の清浄度（C2）に応じて第２発光部（532）の光の色が変化する。これにより、第１発光部（531）および第２発光部（532）が発する光を見る在室者に対して、吸込空気の清浄度（C1）および吹出空気の清浄度（C2）の両方を見せることにより、空気清浄機（510）が室内環境に与える影響の大きさをより細かく知らせることができる。
【０１３５】
《実施形態７》
実施形態７について説明する。本実施形態の空気処理システム（601）は、図１７に示すように、上記実施形態１に係る空気調和装置（610）と、上記実施形態６に係る空気清浄機（630）とを備える。ただし、空気調和装置（610）が有する発光部（641）を第１発光部（641）とし、空気清浄機（630）が有する発光部（642,643）を第２発光部（642）および第３発光部（643）とする。そして、空気調和装置（610）の室内制御器（620）と空気清浄機（630）の制御器（650）とは、有線または無線によって互いに通信可能に構成されている。
【０１３６】
図１８に示すように、空気処理システム（601）では、第１〜第３発光部（641〜643）が発する光の色の系統が統一される。例えば、空気調和装置（610）の運転モードに応じて、すなわち空気調和装置（610）が暖房運転を行っているか冷房運転を行っているかに応じて、前者では第１〜第３発光部（641〜643）が発する光の色の系統が暖色系（例えば、橙色）に統一される一方、後者では第１〜第３発光部（641〜643）が発する光の色の系統が寒色系（例えば、青色）に統一される。
【０１３７】
そして、第１〜第３発光部（641〜643）の光の色の系統が統一された状態で、空気調和装置（610）の室内制御器（620）は、吸込空気の温度（T1）と吹出空気の温度（T2）との差（ΔT）に応じて第１発光部（641）の光の濃淡を調節する一方、空気清浄機（630）の制御器（650）は、吸込空気の清浄度（C1）および吹出空気の清浄度（C2）に応じて、第２および第３発光部（642,643）の光の濃淡を調節する。これらの濃淡の調節については、上記実施形態１および上記実施形態６のものと同様に行われる。
【０１３８】
−実施形態７の効果−
本実施形態の空気処理システム（601）は、空気調和装置（610）が備える第１発光部（641）が発する光の色の系統と、空気清浄機（630）が備える第２および第３発光部（642,643）が発する光の色の系統とが統一されている。したがって、空気処理システム（601）全体として、統一感のある美感を在室者に起こさせることができる。
【０１３９】
−実施形態７の変形例−
実施形態７の変形例について説明する。本変形例は、上記実施形態７とは、空気清浄機（630）の影響指標が異なる。以下、実施形態７と異なる点について主に説明する。
【０１４０】
本変形例の空気清浄機（630）の制御器（650）は、吸込空気の清浄度（C1）および吹出空気の清浄度（C2）を影響指標とせず、空気調和装置（610）と同じ影響指標に基づいて第２および第３発光部（642,643）が発する光の色を変化させる。具体的に、制御器（650）は、空気調和装置（610）における吸込空気の温度（T1）と、空気調和装置（610）における吹出空気の温度（T2）との差（ΔT）が大きくなるほど、第２および第３発光部（642,643）が発する光の色を濃く設定する一方、当該差（ΔT）が小さくなるほど、第２および第３発光部（642,643）が発する光の色を薄く設定する。ここで、室内制御器（620）および制御器（650）は、第１〜第３発光部（641〜643）が発する光の色が互いに同じになるように第１〜第３発光部（641〜643）を制御することが好ましい。
【０１４１】
以上、実施形態および変形例を説明したが、特許請求の範囲の趣旨および範囲から逸脱することなく、形態や詳細の多様な変更が可能なことが理解されるであろう。また、以上の実施形態および変形例は、本開示の対象の機能を損なわない限り、適宜組み合わせたり、置換したりしてもよい。
【産業上の利用可能性】
【０１４２】
以上説明したように、本開示は、空気処理装置について有用である。
【符号の説明】
【０１４３】
10  空気調和装置（空気処理装置）
11  冷媒回路
21  圧縮機
31  ケーシング
32  室内熱交換器（温度調節部）
33  室内ファン（ファン）
34  室内制御器（調光部）
41  （第１）発光部
42  第２発光部（発光部）
110  空気調和装置（空気処理装置）
111  冷媒回路
121  ケーシング
123  室内熱交換器（温度調節部）
122  室内ファン（ファン）
131  第１発光部（発光部）
132  第２発光部（発光部）
150  室内制御器（調光部）
210  空気調和装置（空気処理装置）
211  冷媒回路
221  ケーシング
222  室内熱交換器（温度調節部）
223  室内ファン（ファン）
231  発光部
250  室内制御器（調光部）
310  空気調和装置（空気処理装置）
311  ケーシング
311a  吸込口
311b  吹出口
321  吸込ユニット
331  吹出ユニット
341  第１発光部（発光部）
342  第２発光部（発光部）
360  制御器（調光部）
410  換気装置（空気処理装置）
411  ケーシング
411a  吸込口
411c  吹出口
430  吸込ユニット
440  吹出ユニット
451  第１発光部（発光部）
452  第２発光部（発光部）
470  制御器（調光部）
510  空気清浄機（空気処理装置）
511  ケーシング
521  プレフィルタ（浄化部）
522  集塵フィルタ（浄化部）
523  消臭フィルタ（浄化部）
524  ファン
531  第１発光部（発光部）
532  第２発光部（発光部）
550  制御器（調光部）
610  空気調和装置（空気処理装置）
620  室内制御器（調光部）
630  空気清浄機（空気処理装置）
641  第１発光部（発光部）
642  第２発光部（発光部）
643  第３発光部（発光部）
650  制御器（調光部）
AF  （ファンの）送風量
C1  （吸込空気の）清浄度
C2  （吹出空気の）清浄度
RS  （圧縮機の）回転速度
T1  （吸込空気の）温度
T2  （吹出空気の）温度
ΔT  （Ｔ１とＴ２との）差
【図１】
2020024060.tif 000003
【図２】
2020024060.tif 000004
【図３】
2020024060.tif 000005
【図４】
2020024060.tif 000006
【図５】
2020024060.tif 000007
【図６】
2020024060.tif 000008
【図７】
2020024060.tif 000009
【図８】
2020024060.tif 000010
【図９】
2020024060.tif 000011
【図１０】
2020024060.tif 000012
【図１１】
2020024060.tif 000013
【図１２】
2020024060.tif 000014
【図１３】
2020024060.tif 000015
【図１４】
2020024060.tif 000016
【図１５】
2020024060.tif 000017
【図１６】
2020024060.tif 000018
【図１７】
2020024060.tif 000019
【図１８】
2020024060.tif 000020